(57)【要約】  配向規制層には、表面と対向する平面視において、複数の規制領域が区画され、複数の規制領域は、第１規制領域と、第２規制領域と、第１規制領域と第２規制領域との間を埋める第３規制領域とから構成される。第１規制領域における配向規制方向が第１規制方向であり、第２規制領域における配向規制方向が、第１規制方向とは異なる第２規制方向である。第３規制領域では、配向規制方向が、第１規制領域に接する部位から第２規制領域に接する部位に向けて、第１規制方向から第２規制方向まで連続的に変わる。
2017154979.tif 000002
【特許請求の範囲】
【請求項１】
複数の液晶分子を含む液晶層と、
前記液晶層に接した表面を有するとともに、前記液晶分子の配向を規制する特性を有した配向規制層と、を備え、
前記配向規制層には、前記表面と対向する平面視において、複数の規制領域が区画され、
前記複数の規制領域は、第１規制領域と、第２規制領域と、前記第１規制領域と前記第２規制領域との間を埋める第３規制領域とから構成され、
前記配向規制層において、前記液晶分子の配向を規制する方向が配向規制方向であり、
前記第１規制領域における前記配向規制方向が第１規制方向であり、
前記第２規制領域における前記配向規制方向が、前記第１規制方向とは異なる第２規制方向であり、
前記第３規制領域では、前記配向規制方向が、前記第１規制領域に接する部位から前記第２規制領域に接する部位に向けて、前記第１規制方向から前記第２規制方向まで連続的に変わる
表示体。
【請求項２】
前記配向規制層は、光の照射によって前記液晶分子の前記配向方向を規制する特性を発現した光反応性分子を含み、
前記表示体は、
樹脂製の基材と、
前記基材と前記配向規制層との間に位置する反射層と、をさらに備える
請求項１に記載の表示体。
【請求項３】
表面を有する配向規制層を形成することと、
前記配向規制層の前記表面上に複数の液晶分子を含む液晶層を形成することと、を含み、
前記配向規制層を形成することは、前記表面と対向する平面視において、前記配向規制層に複数の規制領域を形成することを含み、前記複数の規制領域は、第１規制領域と、第２規制領域と、前記第１規制領域と前記第２規制領域との間を埋める第３規制領域とから構成され、
前記配向規制層において、前記液晶分子の配向を規制する方向が配向規制方向であり、
前記第１規制領域における前記配向規制方向が第１規制方向であり、
前記第２規制領域における前記配向規制方向が、前記第１規制方向とは異なる第２規制方向であり、
前記第３規制領域では、前記配向規制方向が、前記第１規制領域に接する部位から前記第２規制領域に接する部位に向けて、前記第１規制方向から前記第２規制方向まで連続的に変わる
表示体の製造方法。
【請求項４】
前記配向規制層を形成することは、
光反応性を有した複数の分子を含む前駆層を形成することと、
前記第１規制領域用の第１マスク要素と前記第２規制領域用の第２マスク要素とを備えるマスクを介して第１の光を照射し、それによって、前記前駆層と前記マスクとが重なる方向において、前記第１マスク要素と前記第２マスク要素との境界を含む部分に対して前記前駆層が重なる部分に第３前駆領域を形成し、前記第１マスク要素に対して前記前駆層が重なる部分のうち、前記第３前駆領域以外の部分に第１前駆領域を形成し、かつ、前記第２マスク要素に対して前記前駆層が重なる部分のうち、前記第３前駆領域以外の部分に第２前駆領域を形成することと、
前記前駆層に第２の光を照射し、それによって、前記第１前駆領域から前記第１規制領域を形成し、前記第２前駆領域から前記第２規制領域を形成し、かつ、前記第３前駆領域から前記第３規制領域を形成することと、を含む、
請求項３に記載の表示体の製造方法。
【請求項５】
前記マスクは、前記第１マスク要素と前記第２マスク要素とから構成され、
前記第１マスク要素における前記第１の光に対する透過率は、前記第２マスク要素における前記第１の光に対する透過率よりも高く、
前記マスクと前記前駆層とが重なる方向から見て、前記第１マスク要素および前記第２マスク要素は矩形状を有するとともに、前記第１マスク要素と前記第２マスク要素とが隣り合っている
請求項４に記載の表示体の製造方法。
【発明の詳細な説明】
【技術分野】
【０００１】
本発明は、偏光板がかざされることによって、表示体に含まれる潜像が顕在化される表示体、および、表示体の製造方法に関する。
【背景技術】
【０００２】
カードやパスポートなどの認証媒体、および、商品券や株券などの有価証券には、これらの真贋を判定するために用いる目的で、偽造の難しい表示体が付されている。偽造の難しい表示体には、配向規制層と、配向規制層の有する１つの面に接する液晶層とを備え、液晶層に含まれる分子の配列する方向が、配向規制層によって決められた表示体が知られている。【０００３】
こうした表示体には、配向規制層が、第１の方向に分子を配列させる第１の領域と、第１の方向とは異なる第２の方向に分子を配列させる第２の領域とを含み、液晶層が、第１の方向に分子が配向した第１の領域と、第２の方向に分子が配向した第２の領域とを含む表示体も知られている（例えば、特許文献１参照）。
【先行技術文献】
【特許文献】
【０００４】
【特許文献１】特開平８−１５６８１号公報
【発明の概要】
【発明が解決しようとする課題】
【０００５】
ところで、表示体では、液晶層において、分子の配向した方向が互いに異なる複数の領域が連なった構成も提案されている。こうした表示体では、表示体に対して偏光板がかざされた状態で、液晶層における分子の配列する方向と偏光板の光軸とが形成する角度が変わることによって、偏光板を介して視認される像が変わる。しかしながら、この表示体では、隣り合う領域間での明度差や色差、すなわち隣り合う領域間での視覚的な特徴の差が、１つの領域内における他の部分と比べて大幅に大きいため、表示体が表示する像の品位を高める上で、隣り合う領域間において、視覚的な特徴の差がより滑らかである表示体が求められている。【０００６】
なお、こうした事項は、認証媒体や有価証券の真贋を判定するための表示体に限らず、表示体が付された物品を修飾するための表示体や、表示体そのものが観察の対象である表示体においても共通している。【０００７】
本発明は、表示体が表示する像内にて互いに隣り合う領域の境界において視覚的な特徴の変化を滑らかにすることを可能にした表示体、および、表示体の製造方法を提供することを目的とする。
【課題を解決するための手段】
【０００８】
上記課題を解決するための表示体は、複数の液晶分子を含む液晶層と、前記液晶層に接した表面を有するとともに、前記液晶分子の配向を規制する特性を有した配向規制層と、を備える。前記配向規制層には、前記表面と対向する平面視において、複数の規制領域が区画され、前記複数の規制領域は、第１規制領域と、第２規制領域と、前記第１規制領域と前記第２規制領域との間を埋める第３規制領域とから構成される。前記配向規制層において、前記液晶分子の配向を規制する方向が配向規制方向であり、前記第１規制領域における前記配向規制方向が第１規制方向であり、前記第２規制領域における前記配向規制方向が、前記第１規制方向とは異なる第２規制方向である。前記第３規制領域では、前記配向規制方向が、前記第１規制領域に接する部位から前記第２規制領域に接する部位に向けて、前記第１規制方向から前記第２規制方向まで連続的に変わる。【０００９】
上記課題を解決するための表示体の製造方法は、表面を有する配向規制層を形成することと、前記配向規制層の前記表面上に複数の液晶分子を含む液晶層を形成することと、を含む。前記配向規制層を形成することは、前記表面と対向する平面視において、前記配向規制層に複数の規制領域を形成することを含み、前記複数の規制領域は、第１規制領域と、第２規制領域と、前記第１規制領域と前記第２規制領域との間を埋める第３規制領域とから構成される。前記配向規制層において、前記液晶分子の配向を規制する方向が配向規制方向であり、前記第１規制領域における前記配向規制方向が第１規制方向であり、前記第２規制領域における前記配向規制方向が、前記第１規制方向とは異なる第２規制方向である。前記第３規制領域では、前記配向規制方向が、前記第１規制領域に接する部位から前記第２規制領域に接する部位に向けて、前記第１規制方向から前記第２規制方向まで連続的に変わる。【００１０】
上記構成によれば、配向規制層のうち、第１規制領域と第２規制領域との境界に位置する第３規制領域において、液晶分子の配向を規制する方向が、第１規制領域から第２規制領域に向かう方向に沿って、第１規制方向から第２規制方向まで連続的に変わる。そのため、液晶層の第３配向領域では、液晶分子の配向方向が、第１規制方向によって定まる１つの方向から、第２規制方向によって定まる他の方向まで連続的に変わる。それゆえに、液晶層における第１配向領域と第２配向領域との間で、液晶分子の配向方向が、上述した１つの方向と他の方向との間のみで変わる構成と比べて、表示体が表示する像における像内での変化が滑らかになる。
【図面の簡単な説明】
【００１１】
【図１】本発明の表示体を具体化した第１実施形態において表示体を上面視した平面構造を示す平面図。
【図２】図１のＩ−Ｉ線に沿う表示体の断面構造を示す断面図。
【図３】表示体が備える配向規制層における配向規制方向を模式的に示す模式図。
【図４】表示体が備える配向規制層と液晶層との断面構造を示す断面図。
【図５】本発明の表示体の製造方法を具体化した第１実施形態における基材を準備する工程を説明するための工程図。
【図６】表示体の製造方法における反射層を形成する工程を説明するための工程図。
【図７】表示体の製造方法における前駆層を形成する工程を説明するための工程図。
【図８】表示体の製造方法における前駆層に第１偏光を照射する工程を説明するための工程図。
【図９】前駆層における露光量の分布を前駆層と対応付けて示す図。
【図１０】前駆層に光を照射する工程にて用いる網点マスクの平面構造を示す平面図。
【図１１】表示体の製造方法における前駆層に第２偏光を照射する工程を説明するための工程図。
【図１２】表示体の製造方法における液晶層を形成する工程を説明するための工程図。
【図１３】表示体の作用を説明するための作用図。
【図１４】第１実施形態の変形例における網点マスクの平面構造を示す平面図。
【図１５】本発明の表示体を具体化した第２実施形態において表示体の一部断面構造を示す部分断面図。
【図１６】本発明の表示体の製造方法を具体化した第２実施形態において前駆層に第１偏光を照射する工程にて用いる網点マスクの平面構造を示す平面図。
【図１７】網点マスクにおける回折部の平面構造を拡大して示す拡大平面図。
【図１８】表示体の製造方法における前駆層に第１偏光を照射する工程を説明するための工程図。
【図１９】前駆層における露光量の分布を前駆層と対応付けて示す図。
【図２０】第２実施形態の変形例における前駆層に第１偏光を照射する工程を説明するための工程図。
【図２１】前駆層における露光量の分布を前駆層と対応付けて示す図。
【図２２】第２実施形態の変形例における前駆層に第１偏光を照射する工程を説明するための工程図。
【図２３】前駆層における露光量の分布を前駆層と対応付けて示す図。
【発明を実施するための形態】
【００１２】
［第１実施形態］
図１から図１３を参照して、本発明の表示体および表示体の製造方法を具体化した第１実施形態を説明する。以下では、表示体の構成、表示体の製造方法、表示体の作用、および、実施例を順番に説明する。
【００１３】
［表示体の構成］
図１から図４を参照して、表示体の構成を説明する。
図１が示すように、表示体１０は表面１０Ｓを有し、表示体１０の表面１０Ｓと対向する平面視において、１つの方向であるＸ方向に沿って並ぶ複数の表示部１０ａに区画されている。表示体１０は、例えば５つの表示部１０ａに区画されている。表示体１０が目視にて観察されたときには、各表示部１０ａは他の全ての表示部１０ａに対して区別されない。
【００１４】
なお、Ｘ方向に直交する１つの方向がＹ方向であり、表示体１０の表面１０ＳはＸＹ平面上に位置している。表示体１０の厚さ方向と平行な方向がＺ方向である。
【００１５】
図２が示すように、表示体１０は、基材１１、反射層１２、配向規制層１３、液晶層１４、および、保護層１５を備えている。保護層１５のうち、液晶層１４に接する面とは反対側の面が、表示体１０の表面１０Ｓであり、観察者によって観察される表示体１０の前面である。
【００１６】
基材１１は、例えば樹脂製であり、反射層１２を挟んで配向規制層１３と対向している。すなわち、反射層１２は、基材１１と配向規制層１３との間に位置している。基材１１のうち、反射層１２の位置する面が表面１１Ｓであり、反射層１２は、基材１１における表面１１Ｓの全体を覆っているが、表面１１Ｓの一部を覆っていてもよい。
【００１７】
反射層１２のうち、基材１１に接する面とは反対側の面が表面１２Ｓである。反射層１２は、光散乱性を有してもよく、反射層１２が光散乱性を有する場合には、例えば、光の散乱が生じる程度に表面１２Ｓにおける表面粗さが大きければよい。また、反射層１２は、単層構造を有してもよいし、多層構造を有してもよい。
【００１８】
液晶層１４のうち、配向規制層１３に接する面とは反対側の面が表面１４Ｓであり、保護層１５は、液晶層１４の表面１４Ｓを覆っている。保護層１５は光透過性を有し、無色透明であってもよいし、有色透明であってもよい。また、保護層１５は光学等方性を有する。保護層１５は、保護層１５の下層である液晶層１４などの損傷や光による劣化を抑えることで、表示体１０が表示する像が劣化することを抑える。保護層１５は、単層構造を有してもよいし、多層構造を有してもよい。
【００１９】
液晶層１４は複数の液晶分子を含み、複屈折性を有した層である。液晶層１４において、液晶層１４の表面１４Ｓに平行な方向であって、液晶分子の配向する方向が配向方向である。液晶層１４の厚さは、液晶層１４の位相差値が、例えばλ／４になるような厚さであることが好ましい。液晶層１４の厚さは、具体的には０．６μｍ以上１．２μｍ以下とすることができる。
【００２０】
配向規制層１３は、液晶層１４に接した表面１３Ｓを有するとともに、液晶層１４に含まれる液晶分子の配向方向を規制する特性を有している。配向規制層１３は、光の照射によって液晶分子の配向方向を規制する特性を発現した光反応性分子を含んでいる。光反応性分子は、例えば、光の照射によって光異性化した分子、光二量化した分子、光架橋した分子、および、光分解した分子などのいずれかである。配向規制層１３の厚さは、具体的には１０ｎｍ以上５０ｎｍ以下とすることができる。
【００２１】
配向規制層１３は、上述したように、液晶層１４に含まれる液晶分子を配向させる特性を有している。配向規制層１３において、液晶分子の配向を規制する方向であって、配向規制層１３の表面１３Ｓに平行な方向が配向規制方向である。液晶層１４における配向方向は、配向規制層１３における配向規制方向にほぼ等しい。
【００２２】
図３は、表示体１０の表面１０Ｓと対向する平面視、言い換えれば、配向規制層１３の表面１３Ｓと対向する平面視における配向規制層１３の平面構造を示している。図３では、配向規制層１３が有する各部分での配向規制方向が、矢印によって模式的に示されている。
【００２３】
配向規制層１３には、表示体１０の表面１０Ｓと対向する平面視において、複数の規制領域が区画され、複数の規制領域は、第１規制領域２１と第２規制領域２２とから構成されている。また、配向規制層１３には、第１規制領域２１と第２規制領域２２との間に、第１規制領域２１と第２規制領域２２との間を埋める第３規制領域２３が区画されている。
【００２４】
配向規制層１３に区画された複数の規制領域は、少なくとも１つの第１規制領域２１と、少なくとも１つの第２規制領域２２とを含み、第１規制領域２１と第２規制領域２２とは、Ｘ方向において互いに隣り合うように並んでいる。
【００２５】
配向規制層１３において、液晶分子の配向方向を規制する方向が配向規制方向である。第１規制領域２１における配向規制方向が第１規制方向Ｄ１であり、第２規制領域２２における配向規制方向が第２規制方向Ｄ２である。第３規制領域２３では、配向規制方向が、第１規制領域２１から第２規制領域２２に向かう方向に沿って、第１規制領域２１に接する部位から第２規制領域２２に接する部位に向けて、第１規制方向Ｄ１から第２規制方向Ｄ２まで連続的に変わる。
【００２６】
第１規制領域２１は、配向規制方向として第１規制方向Ｄ１のみを有し、第２規制領域２２は、配向規制方向として第２規制方向Ｄ２のみを有する。
【００２７】
これに対して、第３規制領域２３は、第１規制領域２１に接する部位から第２規制領域２２に接する部位に向けて、第１規制方向Ｄ１から第２規制方向Ｄ２まで連続的に変わる複数の配向規制方向を有する。各第３規制領域２３において、配向方向は、第１規制方向Ｄ１と第２規制方向Ｄ２との間でほぼ無段階に変わる。
【００２８】
図４が示すように、液晶層１４は、表示体１０の表面１０Ｓと対向する平面視において、第１規制領域２１と重なる第１配向領域３１、第２規制領域２２と重なる第２配向領域３２、および、第３規制領域２３と重なる第３配向領域３３から構成されている。
【００２９】
液晶層１４のうち、第１配向領域３１における配向方向が第１配向方向であり、第２配向領域３２における配向方向が第２配向方向である。第１配向方向は、第１規制領域２１における第１規制方向Ｄ１にほぼ等しく、第２配向方向は、第２規制領域２２における第２規制方向Ｄ２にほぼ等しい。
【００３０】
これに対して、第３配向領域３３の配向方向は、Ｘ方向に沿って、第１配向領域３１に接する部位から第２配向領域３２に接する部位に向けて、第１配向方向から第２配向方向まで連続的に変わる。第３配向領域３３の配向方向は、第３規制領域２３の配向規制方向と同様、第３配向領域３３の中でほぼ無段階に変わる。
【００３１】
なお、表示体１０の表面１０Ｓと対向する平面視において、配向規制層１３の中で、第１配向領域３１を含む部分、第２配向領域３２を含む部分、および、第３配向領域３３を含む部分の各々が、１つの表示部１０ａを構成している。
【００３２】
表示体１０によれば、配向規制層１３のうち、第１規制領域２１と第２規制領域２２との境界に位置する第３規制領域２３において、配向規制方向が第１規制方向Ｄ１から第２規制方向Ｄ２まで連続的に変わる。そのため、液晶層１４の第３配向領域３３において、液晶分子の配向方向が、第１規制方向Ｄ１によって定まる第１配列方向から、第２規制方向Ｄ２によって定まる第２配列方向まで連続的に変わる。
【００３３】
それゆえに、液晶層１４における第１配向領域３１と第２配向領域３２との間で、液晶分子の配向方向が、上述した第１配列方向と第２配列方向との間のみで変わる構成と比べて、表示体１０が表示する像内にて互いに隣り合う領域の境界において、視覚的な特徴としての明度の変化が滑らかになる。
【００３４】
［表示体の製造方法］
表示体１０の製造方法は、表面１３Ｓを有する配向規制層１３を形成することと、配向規制層１３の表面１３Ｓ上に複数の液晶分子を含む液晶層１４を形成することとを備えている。
【００３５】
配向規制層１３を形成することでは、表面１３Ｓと対向する平面視において、複数の規制領域であって、第１規制領域２１と第２規制領域２２とから構成される複数の規制領域を区画する。また、配向規制層１３を形成することでは、第１規制領域２１と第２規制領域２２との間に、第１規制領域２１と第２規制領域２２との間を埋める第３規制領域２３を区画する。
【００３６】
以下では、図５から図１２を参照して、こうした表示体１０の製造方法の一例として、光反応性を有する分子を用いて配向規制層１３を形成する方法を説明する。
【００３７】
図５が示すように、表示体１０を製造するときには、まず、表面１１Ｓと裏面１１Ｒとを有した基材１１を準備する。基材１１には、例えば、延伸フィルムを用いることができ、延伸フィルムは、延伸加工によって製造された樹脂製のフィルムである。延伸フィルムには、１軸延伸フィルムと２軸延伸フィルムとが含まれ、１軸延伸フィルムと２軸延伸フィルムとの間では、フィルムの延ばし方が互いに異なる。
【００３８】
延伸フィルムの形成材料は、例えば、セルロース、ポリカーボネート（ＰＣ）、ポリエチレン（ＰＥ）、ポリプロピレン（ＰＰ）、ポリオレフィン（ＰＯ）、エチレンビニールアルコール（ＥＶＯＨ）、ポリビニルアルコール（ＰＶＡ）、ポリ塩化ビニル、ポリエチレンナフタレート（ＰＥＮ）、ポリエチレンテレフタレート（ＰＥＴ）、ナイロン、アクリル樹脂、および、トリアセチルセルロース（ＴＡＣ）などであればよい。
【００３９】
基材１１の厚さは、例えば、５μｍ以上５０μｍ以下であることが好ましい。基材１１は光透過性を有してもよいし、光透過性を有しなくてもよい。
【００４０】
基材１１は、単層構造を有していてもよく、多層構造を有していてもよい。表示体１０の表示する像に影響を及ぼさない範囲であれば、表面１１Ｓおよび裏面１１Ｒの少なくとも一方のうち、全体もしくは一部に対して、帯電防止処理、エンボス処理、および、マット加工などを施してもよい。
【００４１】
図６が示すように、基材１１の表面１１Ｓに反射層１２を形成する。反射層１２は、所定の印刷法、または、物理気相堆積法を用いて、基材１１の表面１１Ｓに対して直に形成されてもよい。このうち、印刷法では、光を反射する効果を有したインキなどを基材１１の表面１１Ｓに印刷すればよい。また、物理気相堆積法には、蒸着とスパッタリングとが含まれ、物理気相堆積法によって反射層１２を形成するときには、反射層１２の形成材料は、例えば、Ａｌ、Ｓｎ、Ｃｒ、Ｎｉ、Ｃｕ、Ａｕ、インコネル、ステンレス、および、ジュラルミンなどであればよい。反射層１２の厚さは、具体的には２０ｎｍ以上８０ｎｍ以下とすることができる。
【００４２】
反射層１２は、転写箔からの転写によって形成されてもよいし、ラミネートによって基材１１の表面１１Ｓに形成されてもよい。転写箔を用いて反射層１２を形成するときには、転写箔用の基材に対して、上述した印刷法または物理気相堆積法によって反射層を形成した後、転写箔の有する反射層を基材１１の表面１１Ｓに転写すればよい。ラミネートによって反射層１２を形成するときには、金属箔や金属層を有するラミネート用フィルムを基材１１にラミネートすればよい。
【００４３】
反射層１２は、基材１１の表面１１Ｓにおける全体に位置してもよいし、表面１１Ｓの一部に位置してもよい。基材１１の表面１１Ｓにおける一部に反射層１２を位置させるときには、印刷法を用いて基材１１の表面１１Ｓの一部にのみ反射層１２を形成してもよい。あるいは、基材１１の表面１１Ｓにおける一部に反射層１２を位置させるときには、基材１１の表面１１Ｓにおける全体に物理気相堆積法を用いて金属層を形成した後に、エッチング加工、レーザー加工、および、水洗シーライト加工などを用いて、金属層をパターニングしてもよい。
【００４４】
またあるいは、上述のような方法によってパターニングされた反射層を有する転写箔、または、パターニングされた反射層を有するラミネート用フィルムを準備し、基材１１の表面１１Ｓにおける一部のみに位置する反射層１２を形成してもよい。
【００４５】
反射層１２は、反射層１２に入射した光を回折する反射型の回折構造を含んでもよい。反射層１２が回折構造を含む構成によれば、表示体１０が物品に付されたとき、表示体１０が物品を装飾する効果、および、物品の偽造を防止する効果が高まる。
【００４６】
図７が示すように、反射層１２の表面１２Ｓに配向規制層１３の前駆体であって、光反応性を有した複数の分子を含む前駆層４０を形成する。前駆層４０のうち、反射層１２に接する面とは反対側の面が表面４０Ｓであり、表面４０Ｓは、配向規制層１３の表面１３Ｓに相当する。
【００４７】
前駆層４０の形成材料は、例えば、アゾベンゼン誘導体、桂皮酸エステル、クマリン、カルコン、ベンゾフェノン、および、ポリイミドのいずれかである。アゾベンゼン誘導体、桂皮酸エステル、クマリン、カルコン、ベンゾフェノン、および、ポリイミドが、光反応性を有する分子の一例であって、光の照射によって液晶分子の配向方向を規制する特性を発現する。
【００４８】
前駆層４０の形成材料がアゾベンゼン誘導体であるとき、アゾベンゼン誘導体が偏光の照射によって光異性化することによって、配向規制層１３が所定の配向規制方向を発現する。前駆層４０の形成材料が、桂皮酸エステル、クマリン、カルコン、および、ベンゾフェノンであるとき、これらの誘導体が偏光の照射によって光二量化、あるいは、光架橋することによって、配向規制層１３が所定の配向規制方向を発現する。前駆層４０の形成材料がポリイミドであるとき、ポリイミドが偏光の照射によって光分解することによって、配向規制層１３が所定の配向規制方向を発現する。
【００４９】
上述した形成材料をグラビアコーティング法、および、マイクログラビアコーティング法などのいずれかの塗布方法を用いて反射層１２の表面１２Ｓに塗布することによって、前駆層４０を形成することができる。
【００５０】
基材１１と前駆層４０との間に反射層１２が位置するため、基材１１として延伸フィルムを用いたとしても、基材１１における延伸方向が、反射層１２の表面１２Ｓに形成された前駆層４０に含まれる分子の配向する方向に影響することが抑えられる。それゆえに、基材１１として延伸フィルムを用いたとしても、配向規制層１３における配向規制方向が所望とする方向とすることが可能になり、それゆえに、基材１１における形成方法の自由度が高まる。
【００５１】
図８が示すように、規制領域を形成するための網点マスク５０を介して第１偏光ＰＬ１を前駆層４０に照射する。網点マスク５０はマスクの一例であり、第１偏光ＰＬ１は第１の光の一例である。前駆層４０に第１偏光ＰＬ１を照射するときには、前駆層４０が、所定の配向規制方向を発現するような照射方向で、前駆層４０に対して第１偏光ＰＬ１を照射する。照射方向は、第１偏光ＰＬ１の偏光方向と、前駆層４０の表面４０Ｓに平行な方向とが形成する角度である。
【００５２】
網点マスク５０は、第１偏光ＰＬ１を透過する透過部５１と、第１偏光ＰＬ１を透過しない非透過部５２とを備えている。網点マスク５０において、前駆層４０と対向する面とは反対側の面が表面５０Ｓである。透過部５１が、第１規制領域用の第１マスク要素の一例であり、非透過部５２が第２規制領域用の第２マスク要素の一例である。
【００５３】
網点マスク５０を用いて第１偏光ＰＬ１が照射されるとき、非透過部５２から透過部５１に向かう方向では、非透過部５２と透過部５１との境界に近付くにつれて、第１偏光ＰＬ１の入射角度のうち、透過部５１を通って前駆層４０に到達することの可能な入射角度が大きくなる。そのため、前駆層４０において、非透過部５２と対向する部位から、非透過部５２と透過部５１との境界と対向する部位に向けて、露光量が連続的に大きくなる。
【００５４】
一方で、非透過部５２と透過部５１との境界においても、第１偏光ＰＬ１のうち、一部の入射角度を有した第１偏光ＰＬ１は、非透過部５２によって、前駆層４０に到達することが妨げられる。そのため、前駆層４０において、非透過部５２と透過部５１との境界と重なる部位から、境界から所定の距離だけ離れた部位と重なる部位まで、露光量が連続的に大きくなる。
【００５５】
それゆえに、第１偏光ＰＬ１が網点マスク５０を介して前駆層４０に照射されることによって、前駆層４０の表面４０Ｓと対向する平面視において、前駆層４０のうち、透過部５１と非透過部５２との境界と重なる部分に第３前駆領域４３が区画される。また、前駆層４０には、透過部５１と重なる部分のうち、第３前駆領域４３以外の部分に第１前駆領域４１が区画され、かつ、非透過部５２と重なる部分のうち、第３前駆領域４３以外の部分に第２前駆領域４２が区画される。
【００５６】
前駆層４０の表面４０Ｓと、網点マスク５０のうち、前駆層４０と対向する面との間の距離が、露光距離Ｌであり、露光距離Ｌは０μｍ以上５００μｍ以下であることが好ましい。露光距離Ｌが０μｍ以上であれば、露光距離Ｌが大きいほど、第１前駆領域４１と第２前駆領域４２とが並ぶ方向において、第３前駆領域４３が占める幅を大きくすることができる。一方で、露光距離Ｌが５００μｍ以下であれば、第１前駆領域４１と第２前駆領域４２との境界が曖昧になることが抑えられ、結果として、表示体１０の表示する像がぼけることが抑えられる。
【００５７】
図９が示すように、網点マスク５０を用いた第１偏光ＰＬ１の照射では、前駆層４０のうち、第２前駆領域４２は、第１偏光ＰＬ１が照射されない領域であるため、第２前駆領域４２の露光量が最も小さくなる。第１前駆領域４１は、透過部５１を透過した第１偏光ＰＬ１が照射された領域であるため、第１前駆領域４１の露光量が最も大きくなる。これに対して、第３前駆領域４３では、Ｘ方向に沿って、第２前駆領域４２での露光量から第１前駆領域４１での露光量に向けて、露光量が連続的に大きくなる。
【００５８】
前駆層４０のうち、第１偏光ＰＬ１が照射された部分が被照射部であり、被照射部に含まれる分子の少なくとも一部が異方的に再配列する。もしくは、被照射部に含まれる分子の少なくとも一部において、化学反応が異方的に進む。
【００５９】
ここで、被照射部のうち、異方的に再配列する分子の割合、または、化学反応が異方的に進む分子の割合は、被照射部の露光量によって決まり、露光量が大きいほど、異方的に再配列する分子の割合、または、化学反応が異方的に進む分子の割合が大きくなる。
【００６０】
そのため、前駆層４０では、第１前駆領域４１において、異方的に再配列した分子の割合、または、化学反応が異方的に進んだ分子の割合が最も大きく、第２前駆領域４２において、異方的に再配列した分子の割合、または、化学反応が異方的に進んだ分子の割合が最も小さい。そして、第３前駆領域４３では、異方的に再配列した分子の割合、または、化学反応が異方的に進んだ分子の割合が、第２前駆領域４２から第１前駆領域４１に向かう方向に沿って次第に大きくなる。
【００６１】
図１０が示すように、網点マスク５０では、網点マスク５０と前駆層４０とが対向する方向から見て、透過部５１および非透過部５２の各々は正方形状を有している。網点マスク５０において、透過部５１と非透過部５２とが隣り合っている。
【００６２】
そのため、前駆層４０に対して光を照射するとき、網点マスク５０の表面５０Ｓと対向する平面視において、前駆層４０のうち、透過部５１と非透過部５２とが接する部分と重なる部分の全てに第３規制領域２３を形成することが可能である。
【００６３】
なお、前駆層４０に第１偏光ＰＬ１を照射するときには、網点マスク５０の一部を用いて、前駆層４０に対して第１偏光ＰＬ１を照射する。
【００６４】
網点マスク５０の表面５０Ｓと対向する平面視において、全ての透過部５１は同じ大きさであり、全ての非透過部５２は同じ大きさであり、かつ、透過部５１と非透過部５２とは同じ大きさである。
【００６５】
網点マスク５０の表面５０Ｓと対向する平面視において、透過部５１と非透過部５２とは、Ｘ方向に沿って交互に並び、かつ、Ｙ方向に沿って交互に並んでいる。すなわち、網点マスク５０の表面５０Ｓと対向する平面視において、透過部５１と非透過部５２とは市松状に並んでいる。
【００６６】
網点マスク５０の表面５０Ｓと対向する平面視において、各非透過部５２のＸ方向に沿う長さおよびＹ方向に沿う長さは、２μｍ以上５０μｍ以下程度であることが好ましく、２μｍ以上２０μｍ以下であることがより好ましい。すなわち、各非透過部５２の面積をＸ方向に沿う長さとＹ方向に沿う長さとの乗算で表現するとき、非透過部５２面積は、２μｍ×２μｍ以上５０μｍ×５０μｍ以下程度であることが好ましく、２μｍ×２μｍ以上２０μｍ×２０μｍ以下であることがより好ましい。
【００６７】
非透過部５２の面積が２μｍ×２μｍ以上であれば、第３規制領域２３が形成される確実性が高まる。また、非透過部５２の面積が５０μｍ×５０μｍ以下であれば、第１規制領域２１および第２規制領域２２の面積に対して、第３規制領域２３の面積比率が十分に保持されるために、第１配向領域３１が表示する像と第２配向領域３２が表示する像との間での連続的な変化が視認されやすくなる。
【００６８】
図１１が示すように、前駆層４０の全体に、第１偏光ＰＬ１とは異なる照射方向で第２偏光ＰＬ２を照射する。これにより、各第１前駆領域４１から１つの第１規制領域２１を形成し、各第２前駆領域４２から１つの第２規制領域２２を形成し、各第３前駆領域４３から１つの第３規制領域２３を形成する。
【００６９】
このように、光反応性を有する前駆層４０に対して、光を照射することによって、第１規制領域２１、第２規制領域２２、および、第３規制領域２３を配向規制層１３に区画することが可能である。しかも、第３規制領域２３は、こうした光の照射のみによって区画される。それゆえに、他の方法を用いて配向規制層１３を形成する構成と比べて、配向を規制する方向の変化に連続性を有する第３規制領域２３をより容易に形成することができる。
【００７０】
各第１規制領域２１は、第１偏光ＰＬ１と第２偏光ＰＬ２とが照射されることによって形成される領域であるため、第１規制領域２１の第１規制方向Ｄ１は、第１偏光ＰＬ１の照射方向、第１偏光ＰＬ１の強度、第２偏光ＰＬ２の照射方向、および、第２偏光ＰＬ２の強度によって決まる。
【００７１】
各第３規制領域２３も、第１規制領域２１と同様、第１偏光ＰＬ１と第２偏光ＰＬ２とが照射されることによって形成される領域である。そのため、第３規制領域２３における配向規制方向は、第１偏光ＰＬ１の照射方向、第２偏光ＰＬ２の強度、第２偏光ＰＬ２の照射方向、および、第２偏光ＰＬ２の強度によって決まる。
【００７２】
これに対して、各第２規制領域２２は、第２偏光ＰＬ２のみが照射されることによって形成される領域であるため、第２規制領域２２の第２規制方向Ｄ２は、第２偏光ＰＬ２の照射方向、および、第２偏光ＰＬ２の強度によって決まる。
【００７３】
第１規制領域２１において、第１規制方向Ｄ１と、配向規制層１３の表面１３Ｓに沿う任意の基準方向とが形成する角度が第１規制角であり、第２規制領域２２において、第２規制方向Ｄ２と、基準方向とが形成する角度が第２規制角である。
【００７４】
第１規制角が例えば４５°であり、第２規制角が例えば０°であるとき、第２偏光ＰＬ２の照射方向は、第２規制角を０°とするような照射方向である必要がある。一方で、第１偏光ＰＬ１の照射方向は、第１偏光ＰＬ１の照射のみによって第１規制角を４５°とするような照射方向であってもよいし、第１偏光ＰＬ１の照射と第２偏光ＰＬ２の照射とによって、第１規制角を４５°とするような照射方向であってもよい。
【００７５】
例えば、第１偏光ＰＬ１の照射方向が、第１偏光ＰＬ１の照射のみによって第１規制角を４５°とするような照射方向であるときには、第１偏光ＰＬ１の照射方向が、第１規制角を４５°とするような照射方向であればよい。さらには、第１偏光ＰＬ１の強度が、第１前駆領域４１に含まれる光配向性の分子の反応がほぼ飽和する程度の強度であればよい。
【００７６】
そして、第２規制角を０°とするような照射方向で、第２偏光ＰＬ２が照射されることによって、第１規制角が４５°であり、第２規制角が０°であり、第３規制領域２３における規制角が０°と４５°との間で連続的に変わる配向規制層１３を得ることができる。
【００７７】
図１２が示すように、配向規制層１３の表面１３Ｓに液晶層１４を形成する。液晶層１４が配向規制層１３上に形成されると、液晶層１４に含まれる複数の液晶分子が、配向規制層１３における配向規制方向に沿って配向する。
【００７８】
これにより、液晶層１４には、第１規制方向Ｄ１に沿って配向した液晶分子を含む第１配向領域３１、および、第２規制方向Ｄ２に沿って配向した液晶分子を含む第２配向領域３２が形成される。液晶層１４には、さらに、第１規制領域２１から第２規制領域２２に向かう方向に沿って、第１規制方向Ｄ１から第２規制方向Ｄ２まで連続的に変わる配向規制方向に沿って配向した液晶分子を含む第３配向領域３３が形成される。
【００７９】
液晶層１４の形成材料は、例えば、メソゲン基の両端にアクリレートを有する光硬化性液晶モノマー、電子線あるいは紫外線の照射によって硬化する高分子液晶、ポリマーの主鎖から分岐する状態で主鎖にメソゲン基が結合している高分子液晶、および、分子の主鎖が配向規制方向に沿って配向する液晶高分子などである。これら光硬化性液晶モノマー、および、３種の高分子液晶の各々が、液晶分子の一例である。また、液晶層１４の形成材料は、熱硬化性を有した液晶分子であってもよい。
【００８０】
液晶分子が活性線硬化性、すなわち紫外線硬化性や電子線硬化性を有するときには、紫外線や電子線によって液晶層１４を硬化させることによって、また、液晶分子が熱硬化性を有するときには、熱によって液晶層１４を硬化させることによって、液晶層１４における配向をより安定化させることができる。
【００８１】
そして、液晶層１４のうち、配向規制層１３に接する面とは反対側の面に保護層１５を形成することによって、図２を用いて先に説明した表示体１０を得ることができる。保護層１５は例えば樹脂製であり、保護層１５の形成材料には、熱可塑性樹脂、熱硬化性樹脂、および、活性線硬化性樹脂を単独または組み合わせて用いることができる。なお、保護層１５の形成材料は、例えば、アクリル樹脂、ウレタン樹脂、塩化ビニル樹脂‐酢酸ビニル共重合樹脂、ポリエステル樹脂、メラミン樹脂、エポキシ樹脂、ポリスチレン樹脂、および、ポリイミド樹脂などであればよい。
【００８２】
［表示体の作用］
図１３を参照して、表示体の作用を説明する。
図１３（ａ）から図１３（ｅ）の各々は、表示体１０に対して偏光板をかざしたときに、表示体１０の表面１０Ｓを通じて、表示体１０が表示する像であって、偏光によって顕像化された潜像である。なお、図１３では、図示の便宜上から、各表示部１０ａに対して、表示体１０が表示する像が重なる状態で示されている。また、以下では、配向規制層１３における第１規制角が４５°であり、第２規制角が０°である表示体１０の作用を一例として説明する。
【００８３】
図１３（ａ）から図１３（ｅ）のうち、図１３（ａ）は、ＸＹ平面上における基準方向と偏光板の光軸との形成する角度が０°であるときの像であり、図１３（ｂ）は、基準方向と偏光板の光軸との形成する角度が２２．５°であるときの像である。図１３（ｃ）は、基準方向と偏光板の光軸との形成する角度が４５°であるときの像であり、図１３（ｄ）は、基準方向と偏光板の光軸との形成する角度が６７．５°であるときの像であり、図１３（ｅ）は、基準方向と偏光板の光軸との形成する角度が９０°であるときの像である。
【００８４】
図１３（ａ）から図１３（ｅ）が示すように、基準方向と偏光板の光軸とが形成する角度を０°から９０°まで徐々に変えると、Ｘ方向に沿って、表示体１０が表示する像の明度が変わる。しかも、表示体１０の表示する像のうち、第３配向領域３３を含む表示部１０ａでは、第１配向領域３１を含む表示部１０ａから第２配向領域３２を含む表示部１０ａに向かう方向に沿って、像の明度が連続的に変わる。
【００８５】
このように、液晶層１４の第３配向領域３３において、液晶分子の配向方向が、第１規制方向Ｄ１によって定まる第１配向方向と、第２規制方向Ｄ２によって定まる第２配向方向との間で連続的に変わる。そのため、液晶層１４における第１配向領域３１と第２配向領域３２との間で、液晶分子の配向方向が、第１配向方向と第２配向方向との間のみで変わる構成と比べて、表示体１０が表示する像内にて互いに隣り合う領域の境界において視覚的な特徴の変化が滑らかになる。
【００８６】
次いで、表示体１０の表示する像において、上述した変化が生じる原理を説明する。
表示体１０の観察に用いられる光の波長、および、液晶層１４における位相差値が一定であると仮定する。表示体１０にかざした偏光板の光軸と、液晶層１４の光軸、すなわち配向方向とが形成する角度をθとし、表示される像におけるコントラストをＣとすると、コントラストＣは、以下の等式（１）で表すことができる。
Ｃ  ＝  ｓｉｎ２（２θ）  …  式（１）
【００８７】
等式（１）から明らかなように、表示体１０に偏光板を重ねたときに表示される像におけるコントラストＣは、角度θが０°から９０°の範囲内において、角度θが０°であるときと、４５°であるときとに最大値を有する。そして、コントラストＣは、角度θが０°と４５°との間、および、４５°と９０°との間であるとき、等式（１）に準じた値を有する。そのため、表示体１０に対して偏光板をかざしたときには、液晶層１４の各部位における角度θの違いによって、液晶層１４の各部位が互いに異なる明るさを有するように視認される。
【００８８】
また、表示体１０と偏光板とが重なる方向と平行な回転軸に対して、偏光板を回転させながら表示体１０を観察すると、角度θが連続的に変わるため、表示体１０の表示する像の中で、明度の低い部分が動いているように視認される。
【００８９】
図１３（ａ）では、偏光板の光軸と、第２配向領域３２の光軸とが平行であるため、偏光板を介して第２配向領域３２に入射した偏光は、第２配向領域３２を透過することができる。そのため、表示体１０の表示する像のうち、第２配向領域３２と重なる部分の明度が、表示体１０の表示する像の中で最も高くなる。
【００９０】
これに対して、偏光板の光軸と、第１配向領域３１の光軸とが形成する角度が４５°であるため、偏光板を介して第１配向領域３１に入射した偏光は、第１配向領域３１によって９０°だけ回転する。それゆえに、表示体１０の表示する像のうち、第１配向領域３１と重なる部分の明度が像の中で最も低くなる。
【００９１】
また、第３配向領域３３では、第２配向領域３２から第１配向領域３１に向かう方向に沿って、偏光板の光軸と、第３配向領域３３の光軸とが形成する角度が、０°から４５°に向けて連続的に大きくなる。そのため、表示体１０の表示する像のうち、第３配向領域３３と重なる部分の明度は、第２配向領域３２から第１配向領域３１に向かう方向に沿って連続的に低くなる。
【００９２】
図１３（ｂ）から図１３（ｅ）の各々においても、表示体１０の表示する像のうち、液晶層１４の中で、偏光板の光軸と液晶層１４の光軸とが平行である部分と重なる部分は、最も高い明度を有する。一方で、表示体１０の表示する像のうち、液晶層１４の中で、偏光板の光軸と液晶層１４の光軸とが形成する角度が４５°である部分と重なる部分は、最も低い明度を有する。また、表示体１０の表示する像のうち、液晶層１４の中で、偏光板の光軸と液晶層１４の光軸とが形成する角度が０°と４５°との間である部分と重なる部分は、上述した等式（１）に準じたコントラストＣを有する。
【００９３】
表示体１０では、表示体１０に偏光板をかざした状態で、表示体１０と偏光板とが重なる方向と平行な回転軸に対して偏光板を回転させたとき、表示体１０の表示する像の中で、明度の低い部分が所定の動きを有するか否かによって、表示体１０の真贋を判定することができる。また、表示体１０の付された物品であれば、表示体１０の真贋を判定することによって、物品の真贋を判定することができる。なお、表示体１０を用いた真贋の判定は、目視によって行ってもよいし、表示体１０が表示する像における明度を解析することが可能な装置を用いて行ってもよい。
【００９４】
また、表示体１０は、表示体１０の表面１０Ｓと対向する平面視において、所定の形状を有することができる。表示体１０の形状は、直線状、円状、楕円状、多角形状、および、自由曲線状などの形状とすることができる。自由曲線状としては、マーク、文字、および、ロゴなどを挙げることができる。
【００９５】
表示体１０が有する形状の中における明度の低い部分の動きには、中心から外縁へ向う放射状の動き、またその反対方向の動き、すなわち外縁から中心へ向かう放射状の動き、回転する動き、および、直線的動き、言い換えればスイープなどを挙げることができる。
【００９６】
なお、表示体１０の形状は、複数の形状要素から構成されてもよく、各形状要素は、その形状要素が有する形状の中において明度の低い部分が動くように構成されている。また、複数の形状要素におけるそれぞれの中での明度の低い部分の動きは、複数の形状要素において連動してもよい。連動には、シンクロするもの、互い違いに動くもの、連結された動きなどを挙げることができる。
【００９７】
なお、表示体１０の観察に用いられる偏光板は、以下のような構成であればよい。
すなわち、偏光板は、例えば吸収型偏光子であればよく、吸収型偏光子は、ＰＶＡに対してヨウ素もしくは二色性染料を含浸させた後、ＰＶＡを延伸することによって、ヨウ素もしくは二色性染料を配向させることで形成することができる。あるいは、吸収型偏光子は、配向膜上にて二色性染料を配向させることによって形成することができる。
【００９８】
また、透過光において特定の偏光成分を分離することが可能な素子、あるいは、特定の偏光成分を抽出することが可能な素子であれば、偏光板として用いることができる。
【００９９】
偏光板は、ワイヤーグリッド偏光子であってもよい。ワイヤーグリット偏光子は、樹脂製の凹凸構造体と、凹凸構造体の凹凸面のうち、少なくとも凸部を覆う導体とを有している。凹凸構造体では、１つの方向に沿って延びる直線状を有した凸部と凹部とが交互に並んでいる。こうしたワイヤーグリッド偏光子は、直線状を有した複数の導体が並ぶ構造体と同様、導体が延びる方向と平行な直線偏光を反射し、導体が延びる方向と直交する直線偏光を透過する。
【０１００】
［実施例］
基材としてポリエチレンテレフタレートフィルムを準備し、真空蒸着法を用いて、膜厚が５０ｎｍであるアルミニウム層を反射層として基材の表面における全体に形成した。反射層の表面における全体に、バーコーター法を用いて光配向剤（ＬＩＡ−０１、ＤＩＣ（株）製）を０．１μｍの厚さで塗布した後、乾燥させることによって膜厚が３０ｎｍである前駆層を形成した。
【０１０１】
次いで、透過部と非透過部とが市松状に並ぶ網点マスクを準備し、網点マスクを前駆層の表面に密着させた状態で、第１偏光を照射した。このとき、第１規制角を４５°とするような照射方向で第１偏光を前駆層に照射した。そして、前駆層の表面から網点マスクを取り除き、前駆層の全体に第２偏光を照射した。このとき、第２規制角を０°とするような照射方向で第２偏光を前駆層に照射した。これにより、第１規制領域、第２規制領域、および、第３規制領域を有する配向規制層を得た。
【０１０２】
配向規制層の表面に、マイクログラビア法を用いてＵＶキュアラブル液晶（ＵＣＬ−００８、ＤＩＣ（株）製）を塗工した後、塗工膜に対して無偏光紫外線を照射することによって、塗工膜を硬化させた。これにより、第１配向領域、第２配向領域、および、第３配向領域を有する液晶層を得た。
【０１０３】
液晶層の表面に、マイクログラビア法を用いて、アクリル樹脂を１μｍの厚さで塗布した。その後、１００℃にてアクリル樹脂を乾燥させることによって、保護層を形成した。これにより、表示体を得た。
【０１０４】
表示体に偏光板をかざし、表示体と偏光板とが重なる方向と平行な方向に延びる回転軸に対して偏光板を回転させながら、表示体が表示する像を観察した。これにより、図１３（ａ）から図１３（ｅ）を用いて先に説明したように、表示体が備える潜像が顕像化されること、および、表示体が表示する像において、偏光板の回転にあわせて、明度の最も低い部分の位置が像の中で変わることが認められた。また、像の中で、明度が高い部分と明度が低い部分との間において、明度が連続的に変わることが認められた。
【０１０５】
以上説明したように、表示体および表示体の製造方法の第１実施形態によれば、以下に列挙する効果を得ることができる。
（１）液晶層１４における第１配向領域３１と第２配向領域３２との間で、液晶分子の配向方向が、第１配向方向と第２配向方向との間のみで変わる構成と比べて、表示体１０が表示する像内にて互いに隣り合う領域の境界において視覚的な特徴の変化が滑らかになる。
【０１０６】
（２）樹脂製の基材１１と配向規制層１３とが直に接しないため、基材１１の延伸方向によって配向規制層１３の配向規制方向が影響されにくい。それゆえに、基材１１における製造方法の自由度が高まる。
【０１０７】
（３）光反応性を有する前駆層４０に対して、光を照射することによって、第１規制領域２１、第２規制領域２２、および、第３規制領域２３を配向規制層１３に区画することが可能である。しかも、第３規制領域２３は、こうした光の照射のみによって区画される。それゆえに、他の方法を用いて配向規制層１３を形成する構成と比べて、配向を規制する方向の変化に連続性を有する第３規制領域２３をより容易に形成することができる。
【０１０８】
（４）前駆層４０に対して光を照射するとき、網点マスク５０の表面５０Ｓと対向する平面視において、前駆層４０のうち、透過部５１と非透過部５２とが接する部分と重なる部分の全てに第３規制領域２３を形成することが可能である。
【０１０９】
［第１実施形態の変形例］
なお、上述した第１実施形態は、以下のように適宜変更して実施することができる。
・網点マスク５０は、Ｘ方向に沿ってのみ透過部５１と非透過部５２とが隣り合う構成であってもよい。こうした構成であっても、上述した（１）に準じた効果を得ることはできる。
【０１１０】
・網点マスク５０の表面５０Ｓと対向する平面視において、透過部５１および非透過部５２の各々は、矩形状を有していればよく、透過部５１と非透過部５２とは互いに異なる形状を有してもよい。また、網点マスク５０は、網点マスク５０の表面５０Ｓと対向する平面視において、複数の透過部と、複数の透過部の間を埋める非透過部とを有し、複数の透過部が規則的に並ぶ構成でもよい。あるいは、網点マスク５０は、網点マスク５０の表面５０Ｓと対向する平面視において、複数の非透過部と、複数の非透過部の間を埋める透過部とを有し、複数の非透過部が規則的に並ぶ構成でもよい。
【０１１１】
・図１４が示すように、網点マスク６０の表面６０Ｓと対向する平面視において、各非透過部６２は円形状を有し、かつ、複数の非透過部６２は、網点マスク６０の表面６０Ｓ内において、不規則に位置してもよい。そして、透過部６１は、複数の非透過部６２の間を埋めるように網点マスク６０の中に位置していてもよい。こうした網点マスク６０であっても、各非透過部６２と透過部６１との境界を含む部分では、網点マスク５０と同様、網点マスク６０を介して前駆層４０に向けて照射される光の光量が連続的に変わる。そのため、上述した（１）に準じた効果を得ることはできる。
【０１１２】
・前駆層４０に対する光の照射に用いられるマスクは、複数の透過部と複数の非透過部とを有し、各透過部および各非透過部が１つの方向に沿って延び、かつ、透過部と非透過部とが１つの方向と直交する方向に沿って交互に並ぶ構成であってもよい。こうしたマスクを用いた場合でも、網点マスク５０を用いた場合と同様、透過部と非透過部との境界を含む部分では、マスクを介して前駆層４０に照射される光の光量が連続的に変わる。そのため、こうしたマスクを用いても、上述した（１）に準じた効果を得ることはできる。
【０１１３】
・網点マスク５０は、第１マスク要素よりも透過率の低い第２マスク要素として、第１偏光ＰＬ１の一部を透過することのできる第１マスク要素を有してもよい。こうした構成であっても、第１マスク要素と第２マスク要素との境界を含む部分では、網点マスク５０を介して前駆層４０に向けて照射される光の光量が連続的に変わるため、上述した（１）に準じた効果を得ることはできる。
【０１１４】
・第２偏光ＰＬ２を前駆層４０に照射するときにもマスクを用いてもよい。この場合には、網点マスク５０に対して透過部５１の位置と非透過部５２の位置とを反転させたマスクを用い、かつ、前駆層４０に対する網点マスク５０の位置と同じ位置にこのマスクを位置させた状態で、第２偏光ＰＬ２を照射すればよい。こうした構成であっても、第３規制領域２３を有した配向規制層１３を形成することは可能であるため、上述した（１）に準じた効果を得ることはできる。
【０１１５】
・表示体１０は、反射層１２と配向規制層１３との間に位置するアンカー層を有してもよい。こうした構成によれば、反射層１２と配向規制層１３とが直に接する構成と比べて、配向規制層１３が配向規制層１３に接する層から剥がれることが抑えられる。
【０１１６】
・基材１１と反射層１２との間には、上述したアンカー層が位置してもよいし、アンカー層以外の層であって、光透過性を有する層が位置してもよい。
【０１１７】
・反射層１２が基材１１の裏面１１Ｒに位置し、かつ、配向規制層１３が基材１１の表面１１Ｓに位置してもよい。ただし、上述したように、基材１１が延伸フィルムであるときには、配向規制層１３の配向規制方向が、延伸フィルムの延伸方向によって影響される。そのため、配向規制層１３が基材１１と直に接する場合には、基材１１は無延伸フィルムであることが好ましい。こうした構成では、表示体１０の厚さ方向において、基材１１のうち、少なくとも反射層１２と重なる部分が光透過性であり、透明であることが好ましい。
【０１１８】
また、反射層１２が基材１１の裏面１１Ｒに位置する構成であっても、基材１１と配向規制層１３との間に上述したアンカー層などの他の層が位置していれば、配向規制層１３が基材１１に直に接しない分、配向規制層１３における分子の配向する方向が、基材１１によって影響されにくい。そのため、こうした構成では、基材１１として延伸フィルムを用いてもよい。
【０１１９】
・基材１１の形成材料は、上述した樹脂に限らず、ガラスや金属などの無機物であってもよい。
【０１２０】
・配向規制層１３は、ラビング法や真空斜方蒸着法を用いて所定の配向規制方向を有するように形成された層であってもよい。あるいは、配向規制層１３は、液晶分子の配向を規制するための溝を表面に有するように形成された層であってもよい。配向規制層１３が光の照射によって形成された層以外の層であっても、配向規制層１３が第１規制領域、第２規制領域、および、第３規制領域を有していれば、上述した（１）に準じた効果を得ることはできる。
【０１２１】
・表示体１０の表面１０Ｓと対向する平面視において、第１規制領域２１と第２規制領域２２とは、Ｘ方向およびＹ方向に沿って交互に並んでいてもよい。また、表示体１０の表面１０Ｓと対向する平面視において、第１規制領域２１を囲むように第２規制領域２２が位置してもよいし、第２規制領域２２を囲むように第１規制領域２１が位置してもよい。こうした構成であっても、第１規制領域２１と第２規制領域２２の間に、これらの間を埋めるように第３規制領域２３が位置していれば、上述した（１）に準じた効果を得ることはできる。
【０１２２】
・表示体１０は保護層１５を備えていなくてもよく、こうした構成であっても、表示体１０が配向規制層１３と液晶層１４とを備える以上は、上述した（１）に準じた効果を得ることができる。
【０１２３】
・液晶層１４は、二色性染料または蛍光二色性染料を含んでもよく、こうした構成では、液晶層１４に含まれる液晶分子を所定の方向に配向させることによって、二色性染料または蛍光二色性染料も所定の方向に配向させることができる。このうち、液晶層１４が蛍光二色性染料を含む構成であれば、表示体１０に対して偏光紫外線を照射しつつ、表示体１０の表面１０Ｓに対する法線方向を回転軸として表示体を回転させることによって、表示体１０に、蛍光による動画を表示させることができる。言い換えれば、表示体１０が表示する像において、蛍光を発する部位を変えることができる。
【０１２４】
・表示体１０は、基材１１の裏面１１Ｒに、粘着層または接着層を有してもよい。すなわち、表示体１０を用いて、他の物品への貼り付けが可能なラベルを形成してもよい。
【０１２５】
粘着層の形成材料は、例えば、塩化ビニル‐酢酸ビニル共重合体、ポリエステル系ポリアミド、アクリル系、ブチルゴム系、天然ゴム系、シリコン系、および、ポリイソブチル系などの粘着剤であればよい。また、粘着層の形成材料は、これら粘着剤のいずれかと、凝集成分、改質成分、重合開始剤、可塑剤、硬化剤、硬化促進剤、および、酸化防止剤などの添加剤とを含む材料であってもよい。
【０１２６】
このうち、凝集成分は、例えば、アルキルメタクリレート、ビニルエステル、アクリルニトリル、スチレン、および、ビニルモノマーなどであればよく、改質成分は、不飽和カルボン酸、ヒドロキシ基含有モノマー、および、アクリルニトリルなどであればよい。
【０１２７】
粘着層は、グラビア印刷法、オフセット印刷法、および、スクリーン印刷法などの印刷方法や、バーコート法、グラビア法、および、ロールコート法などの塗布方法を用いて形成することができる。また、粘着層は、予めセパレータに対して粘着層を形成し、表示体１０に対して粘着層を貼り合わせた状態でセパレータを剥がすことにより、表示体１０に形成することができる。
【０１２８】
また、粘着層を有する表示体の取り扱いを容易にするために、粘着層のうち、基材１１に接する面とは反対側の面に、離型処理の施された離型紙や離型フィルムを位置させてもよい。
【０１２９】
・表示体１０を含むラベルは、印刷物などの物品に貼り付けることができる。表示体１０を物品に貼り付けて用いる場合には、基材１１が、切り込みまたはミシン目を有することが好ましい。こうした構成では、物品に貼り付けられたラベルを剥がすときに、基材１１が、基材１１の有する切り込みまたはミシン目から破れる可能性が高いため、ラベルの貼り替えを抑えることが可能である。
【０１３０】
・表示体１０を含む転写箔を形成してもよく、この転写箔を用いて、表示体１０を物品に貼り付けてもよい。
【０１３１】
・表示体１０は、スレッド、言い換えれば、ストリップ、フィラメント、糸状物、および、安全帯片として、紙にすき込まれてもよい。
【０１３２】
・表示体１０は、物品において真贋の判定を可能にすることで、物品の偽造を防止する目的以外にも、表示体１０の付された物品を装飾する目的や、表示体１０そのものを観賞する目的で用いられてもよい。
【０１３３】
［第２実施形態］
図１５から図１９を参照して、本発明の表示体および表示体の製造方法を具体化した第２実施形態を説明する。なお、第２実施形態は、上述した第１実施形態と比べて、配向規制層が備える第３規制領域の構成、および、液晶層が備える第３配向領域の構成が異なる。そのため、以下では、こうした相違点について詳しく説明するとともに、第１実施形態と共通する構成には、第１実施形態と同じ符号を付すことによって、その詳しい説明を省略する。また、以下では、表示体の構成、表示体の製造方法、および、表示体の作用を順番に説明する。
【０１３４】
［表示体の構成］
図１５を参照して表示体の構成を説明する。
図１５が示すように、表示体７０は、配向規制層７１と、配向規制層７１に接する液晶層７２とを備えている。
【０１３５】
配向規制層７１は、第１規制領域８１、第２規制領域８２、および、第３規制領域８３を備え、第１規制領域８１は、第１実施形態における第１規制領域２１に相当し、第２規制領域８２は、第１実施形態における第２規制領域２２に相当する。
【０１３６】
配向規制層７１において、第３規制領域８３は、第１規制領域８１と第２規制領域８２との間に位置し、第１要素８３ａと第２要素８３ｂとから構成されている。第３規制領域８３のうち、第１要素８３ａが第２規制領域８２に接し、第２要素８３ｂが第１規制領域８１に接している。第１要素８３ａは、第２要素８３ｂに接する部位から、第２規制領域８２に接する部位に向けて、配向規制方向が、第１規制方向から第２規制方向まで連続的に変わる部分である。これに対して、第２要素８３ｂは、Ｘ方向において、配向規制方向が一定である部分である。
【０１３７】
液晶層７２は、第１配向領域９１、第２配向領域９２、および、第３配向領域９３を備え、第１配向領域９１は第１実施形態の第１配向領域３１に相当し、第２配向領域９２は第１実施形態の第２配向領域３２に相当する。
【０１３８】
第３配向領域９３の少なくとも一部であって、第３規制領域８３と接する第３配向領域９３は、第１要素９３ａと第２要素９３ｂとから構成されている。第３配向領域９３の第１要素９３ａは、第３規制領域８３の第１要素８３ａに接する部分であり、第３配向領域９３の第２要素９３ｂは、第３規制領域８３の第２要素８３ｂに接する部分である。
【０１３９】
［表示体の製造方法］
図１６から図１９を参照して、表示体の製造方法を説明する。なお、第２実施形態における表示体の製造方法は、前駆層に対して第１偏光を照射する工程を除き、第１実施形態における表示体の製造方法と共通している。そのため、以下では、表示体の製造方法のうち、前駆層に対して光を照射する工程についてのみ説明する。
【０１４０】
図１６が示すように、網点マスク１００は、網点マスク１００の表面１００Ｓと対向する平面視において、複数の回折部１０２と、複数の回折部１０２の間を埋める透過部１０１とを備えている。透過部１０１における光の透過率は、回折部１０２における光の透過率よりも高い。
【０１４１】
図１７が示すように、各回折部１０２は、複数の透過部１０２ａと複数の非透過部１０２ｂとから構成されている。網点マスク１００の表面１００Ｓと対向する平面視において、各透過部１０２ａおよび各非透過部１０２ｂはＸ方向に沿って延びる直線状を有し、透過部１０２ａと非透過部１０２ｂとが、Ｙ方向に沿って交互に並んでいる。
【０１４２】
各回折部１０２は透過型の回折格子であり、回折部１０２に入射した光の一部を透過するとともに、回折部１０２に入射した光の他の一部を回折する。回折部１０２は、回折部１０２に入射した光の一部をＹＺ平面に対して回折光として射出する。
【０１４３】
図１８が示すように、網点マスク１００を用いた第１偏光ＰＬ１の照射では、前駆層１１０のうち、回折部１０２と透過部１０１との境界を含む部分と重なる部分において、回折部１０２から透過部１０１に向けて、露光量が大きくなる。
【０１４４】
また、網点マスク１００を用いた第１偏光ＰＬ１の照射では、回折部１０２が、回折部１０２に入射した第１偏光ＰＬ１の一部を前駆層１１０に向けて透過する。加えて、回折部１０２は、回折部１０２に入射した第１偏光ＰＬ１を回折し、前駆層１１０のうち、回折部１０２を直進する光が照射される部分とは異なる部分に向けて回折光を射出する。また、回折部１０２は、前駆層１１０のうち、前駆層１１０に到達する第１偏光ＰＬ１の光量が連続的に大きくなる部分とは重ならない部位に、回折光を照射するように構成されている。
【０１４５】
これにより、網点マスク１００の表面１００Ｓと対向する平面視において、前駆層１１０のうち、回折部１０２と透過部１０１との境界を含む部分と重なる部分に、第３前駆領域１１３の第１要素１１３ａが区画される。また、前駆層１１０のうち、透過部１０１と重なる部分であって、透過部１０１を透過した光と、回折部１０２の射出した回折光とが照射される部分に、第３前駆領域１１３の第２要素１１３ｂが区画される。そして、前駆層１１０のうち、回折部１０２と重なる部分に第２前駆領域１１２が区画され、透過部１０１と重なる部分であって、回折光の照射されない部分に第１前駆領域１１１が区画される。
【０１４６】
図１９が示すように、第２前駆領域１１２には、回折部１０２を透過した光のみが照射されるため、第２前駆領域１１２の露光量は、前駆層１１０の中で最も小さくなる。第３前駆領域１１３のうち、第１要素１１３ａでは、第２前駆領域１１２から第１前駆領域１１１に向かう方向に沿って、第１要素１１３ａの露光量が次第に大きくなる。
【０１４７】
一方で、第３前駆領域１１３のうち、第２要素１１３ｂには、透過部１０１を透過する第１偏光ＰＬ１と、回折部１０２の回折光との両方が照射されるため、第２要素１１３ｂの露光量は、前駆層１１０の中で最も大きくなる。第１前駆領域１１１の露光量は、第３前駆領域１１３の第２要素１１３ｂと比べて、回折光の分だけ小さくなる。
【０１４８】
上述したように、第２偏光ＰＬ２は、前駆層１１０の全体に照射されるため、表示体７０の備える配向規制層７１において、前駆層１１０における配向規制方向の分布が維持される。
【０１４９】
［表示体の作用］
表示体７０の作用を説明する。
表示体７０において、配向規制層７１は、第３規制領域８３として、第１要素８３ａと第２要素８３ｂとを備えている。そして、第１要素８３ａにおける配向規制方向は、第２要素８３ｂに接する部位から第２規制領域２２に接する部位に向けて、第１規制方向から第２規制方向まで連続的に変わる。
【０１５０】
そのため、表示体７０によれば、第３配向領域９３のうち、第１要素９３ａであって、第２配向領域９２と第３配向領域９３の第２要素９３ｂとの間では、各領域が表示する像において互いに隣り合う領域の境界において視覚的な特徴の変化を滑らかにすることができる。
【０１５１】
［第２実施形態の変形例］
なお、上述した第２実施形態は、以下のように適宜変更して実施することもできる。
・図２０が示すように、網点マスク１２０の回折部１２２は、前駆層１３０のうち、透過部１２１と回折部１２２との境界を含む部分から前駆層１３０に向けて照射される第１偏光ＰＬ１の一部と重なるように前駆層１３０に向けて回折光を射出する構成であってもよい。
【０１５２】
網点マスク１２０がこうした構成であれば、第１偏光ＰＬ１が照射された後の前駆層１３０には、透過部１２１を透過した光のみが照射された領域である第１前駆領域１３１と、回折部１２２を透過した光のみが照射された領域である第２前駆領域１３２とが区画される。さらに、第１偏光ＰＬ１が照射された後の前駆層１３０には、第３前駆領域１３３として、第１要素１３３ａ、第２要素１３３ｂ、および、第３要素１３３ｃから構成される第３前駆領域１３３が区画される。
【０１５３】
このうち、第１要素１３３ａは、透過部１２１と回折部１２２との境界を含む部分から光の照射された領域であり、第２要素１３３ｂは、透過部１２１と回折部１２２との境界を含む部分からの光と、回折光とが照射された領域である。第３要素１３３ｃは、回折光と、透過部１２１を透過した光とが照射された領域である。
【０１５４】
そのため、図２１が示すように、第３前駆領域１３３の第３要素１３３ｃにおける露光量が最も大きくなり、第１前駆領域１３１の露光量が２番目に大きくなり、第２前駆領域１３２の露光量が最も小さくなる。
【０１５５】
第３前駆領域１３３のうち、第１要素１３３ａおよび第２要素１３３ｂの各々では、第２前駆領域１３２から第１前駆領域１３１に向かう方向に沿って、露光量が連続的に大きくなるため、配向規制方向が連続的に変わる。これにより、液晶層のうち、第１要素１３３ａおよび第２要素１３３ｂの各々と接する部分では、第２前駆領域１３２から第１前駆領域１３１に向かう方向に沿って、配向方向が連続的に変わる。
【０１５６】
・図２２が示すように、網点マスク１４０の回折部１４２は、透過部１４１と回折部１４２との境界を含む部分から前駆層１５０に向けて照射される第１偏光ＰＬ１の全体と重なるように、前駆層１５０に向けて回折光を射出する構成であってもよい。
【０１５７】
網点マスク１４０がこうした構成であれば、第１偏光ＰＬ１が照射された後の前駆層１５０には、透過部１４１を透過した光のみが照射された領域である第１前駆領域１５１と、回折部１４２を透過した光のみが照射された領域である第２前駆領域１５２とが区画される。さらに、第１偏光ＰＬ１が照射された後の前駆層１５０には、第３前駆領域１５３として、第１要素１５３ａ、第２要素１５３ｂ、および、第３要素１５３ｃから構成される第３前駆領域１５３が区画される。
【０１５８】
このうち、第１要素１５３ａは、回折部１４２を透過した光と、回折光とが照射された領域であり、第２要素１５３ｂは、回折光と、透過部１２１と回折部１２２との境界を含む部分からの光とが照射された領域である。第３要素１５３ｃは、回折光と、透過部１２１を透過した光とが照射された領域である。
【０１５９】
そのため、図２３が示すように、第３前駆領域１５３の第３要素１５３ｃにおける露光量が最も大きくなり、第１前駆領域１５１の露光量が２番目に大きくなり、第２前駆領域１５２の露光量が最も小さくなる。そして、第２前駆領域１５２から第１前駆領域１５１に向かう方向に沿って、第３前駆領域１５３の第２要素１５３ｂにおける露光量が、第１要素１５３ａの露光量から第３要素１３３ｃの露光量に向けて連続的に大きくなる。
【０１６０】
これにより、第３前駆領域１５３の第２要素１５３ｂでは、配向規制方向が連続的に変わり、液晶層のうち、第２要素１５３ｂと接する部分では、第２前駆領域１５２から第１前駆領域１５１に向かう方向に沿って、配向方向が連続的に変わる。
【図１】
2017154979.tif 000003
【図２】
2017154979.tif 000004
【図３】
2017154979.tif 000005
【図４】
2017154979.tif 000006
【図５】
2017154979.tif 000007
【図６】
2017154979.tif 000008
【図７】
2017154979.tif 000009
【図８】
2017154979.tif 000010
【図９】
2017154979.tif 000011
【図１０】
2017154979.tif 000012
【図１１】
2017154979.tif 000013
【図１２】
2017154979.tif 000014
【図１３】
2017154979.tif 000015
【図１４】
2017154979.tif 000016
【図１５】
2017154979.tif 000017
【図１６】
2017154979.tif 000018
【図１７】
2017154979.tif 000019
【図１８】
2017154979.tif 000020
【図１９】
2017154979.tif 000021
【図２０】
2017154979.tif 000022
【図２１】
2017154979.tif 000023
【図２２】
2017154979.tif 000024
【図２３】
2017154979.tif 000025
【国際調査報告】
2017154979.tif 000026
2017154979.tif 000027
2017154979.tif 000028
2017154979.tif 000029